(57)【要約】【課題】従来排出されていた高温の膨張水の熱量を利用して、エネルギー効率の高い給湯運転を行うことができる貯湯式給湯装置を提供する。【解決手段】貯湯タンク４１の低部、膨張水熱交換器４９、冷媒循環回路５０、前記貯湯タンク４１の上部を環状に接続し、前記貯湯タンク４１低部の水を前記冷媒循環回路５０で加熱し、前記貯湯タンク４１の上部から貯湯すると共に、前記貯湯タンク４１の上層部に、前記貯湯タンク４１の圧力が予め定められた圧力以上になると、前記貯湯タンク４１内の膨張水を排出し、前記貯湯タンク４１の内圧を低減する圧力逃がし弁４８を接続し、前記圧力逃がし弁４８から排出される前記膨張水と、前記貯湯タンク４１の低部から流出した水を前記膨張水熱交換器４９で熱交換するもので、従来排出されていた高温の膨張水の熱量を利用できるので、エネルギー効率の高い給湯運転を行うことができる。【選択図】図１
2010007933.tif 000002
【特許請求の範囲】
【請求項１】
貯湯タンクの低部、膨張水熱交換器、加熱手段、前記貯湯タンクの上部を環状に接続し、前記貯湯タンク低部の水を前記加熱手段で加熱し、前記貯湯タンクの上部から貯湯する貯湯式給湯装置において、前記貯湯タンクの圧力が予め定められた圧力以上になると、前記貯湯タンク内の膨張水を排出し、前記貯湯タンクの内圧を低減する圧力逃がし弁を前記貯湯タンクに連通するように接続し、前記圧力逃がし弁から排出される前記膨張水と、前記貯湯タンクの低部から流出した水とを、前記膨張水熱交換器にて熱交換する構成としたことを特徴とする貯湯式給湯装置。
【請求項２】
加熱手段として燃焼機を用いることを特徴とする請求項１に記載の貯湯式給湯装置。
【請求項３】
加熱手段として電気ヒータを用いることを特徴とする請求項１に記載の貯湯式給湯装置。
【請求項４】
加熱手段としてヒートポンプを用いることを特徴とする請求項１に記載の貯湯式給湯装置。
【請求項５】
ヒートポンプの冷媒に二酸化炭素を使用することを特徴とする請求項４に記載の貯湯式給湯装置。
【発明の詳細な説明】
【技術分野】
【０００１】
本発明は、貯湯式給湯装置に関するもので、特に、膨張水の処理構成に関するものである。
【背景技術】
【０００２】
従来、この種の貯湯式給湯装置として、図２に示すようなものがあった（例えば、特許文献１参照）。
【０００３】
図２は、上記特許文献１に記載された従来の貯湯式給湯装置の一部の構成を示す図である。
【０００４】
図２において、従来の貯湯式給湯装置は、貯湯タンク１と、貯湯タンク１内に水を供給する給水配管２の途中に設けられた減圧弁３と、給湯配管４と、貯湯タンク１内の水を加熱する加熱手段７と、膨張水を逃す圧力逃し弁５と、圧力逃し弁５からの膨張水を排水する排水配管６と、加熱手段７を制御する制御手段８とを備えている。
【０００５】
加熱手段７により水を加熱して温水にする過程において、熱膨張により水の体積が増大する（以下、もとの水の体積より増えた分の水を膨張水と称する）。このように膨張することにより、貯湯タンク１に入りきれなくなった膨張水の処理が問題となるが、貯湯タンク１内の圧力が予め定められた圧力以上になると、貯湯タンク１の上層部に接続された圧力逃がし弁５が開放し、貯湯タンク１内の湯を膨張水として、排水配管６を通して貯湯タンク１外に放出するようになっている。
【特許文献１】特開平７−２１７９９２号公報
【発明の開示】
【発明が解決しようとする課題】
【０００６】
しかしながら、上記従来の貯湯式給湯装置の構成では、膨張水を外部へ排出するということは、わざわざ加熱した水を捨てることになり、エネルギーの無駄である。
【０００７】
例えば、約４６０Ｌの貯湯タンク１に給湯された約５℃の水を、約９０℃になるまで加熱手段７により加熱すると、約４６０Ｌの水は、約４７８Ｌの温水となり、貯湯タンク１に入りきらない約１８Ｌの温水が、利用されずに排出される、という課題があった。
【０００８】
しかも圧力逃がし弁５は、本来上部に溜まった空気を排出する機能もあるため、最も高温の温水が貯湯される貯湯タンク１の上部から温水を排出する。そのため、無駄に排出される温水の熱量は極めて大きい、という課題があった。
【０００９】
本発明は、上記従来の課題を解決するもので、従来排出されていた高温の膨張水の熱量を利用して、エネルギー効率の高い給湯運転を行うことができる貯湯式給湯装置を提供することを目的とする。
【課題を解決するための手段】
【００１０】
上記課題を解決するために、本発明の貯湯式給湯装置は、貯湯タンクの低部、膨張水熱交換器、加熱手段、前記貯湯タンクの上部を環状に接続し、前記貯湯タンク低部の水を前記加熱手段で加熱し、前記貯湯タンクの上部から貯湯する貯湯式給湯装置において、前記貯湯タンクの圧力が予め定められた圧力以上になると、前記貯湯タンク内の膨張水を排出し、前記貯湯タンクの内圧を低減する圧力逃がし弁を前記貯湯タンクに連通するように接
続し、前記圧力逃がし弁から排出される前記膨張水と、前記貯湯タンクの低部から流出した水とを、前記膨張水熱交換器にて熱交換する構成としたことを特徴とするもので、従来排出されていた高温の膨張水の熱量を利用できるので、エネルギー効率の高い給湯運転を行うことができる。
【発明の効果】
【００１１】
本発明の貯湯式給湯装置は、貯湯タンクより発生する膨張水と貯湯タンク低部の低温水を熱交換させるための膨張水熱交換器を設け、外部への排熱をなくすことで、エネルギー効率の高い貯湯式給湯装置を提供することができる。
【発明を実施するための最良の形態】
【００１２】
第１の発明は、貯湯タンクの低部、膨張水熱交換器、加熱手段、前記貯湯タンクの上部を環状に接続し、前記貯湯タンク低部の水を前記加熱手段で加熱し、前記貯湯タンクの上部から貯湯する貯湯式給湯装置において、前記貯湯タンクの圧力が予め定められた圧力以上になると、前記貯湯タンク内の膨張水を排出し、前記貯湯タンクの内圧を低減する圧力逃がし弁を前記貯湯タンクに連通するように接続し、前記圧力逃がし弁から排出される前記膨張水と、前記貯湯タンクの低部から流出した水とを、前記膨張水熱交換器にて熱交換する構成としたことを特徴とするもので、従来排出されていた高温の膨張水の熱量を利用できるので、エネルギー効率の高い給湯運転を行うことができる。
【００１３】
第２の発明は、特に、第１の発明の加熱手段として燃焼機を用いるもので、貯湯タンクの低温水を加熱することができる。
【００１４】
第３の発明は、特に、第１の発明の加熱手段として電気ヒータを用いるもので、小型な装置で貯湯タンクの低温水を加熱することができる。
【００１５】
第４の発明は、特に、第１の発明の加熱手段としてヒートポンプを用いるもので、高いエネルギー効率で貯湯タンクの低温水を加熱することができる。
【００１６】
第５の発明は、特に、第４の発明のヒートポンプの冷媒に二酸化炭素を使用するもので、より高いエネルギー効率で貯湯タンクの低温水を加熱することができる。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における貯湯式給湯装置のシステム構成図である。
【００１９】
図１において、本実施の形態における貯湯式給湯装置は、圧縮機３１と、給湯用熱交換器３２と、絞り装置３３と、蒸発器３４を順に環状に接続し、冷媒として二酸化炭素を封入して冷媒循環回路５０を形成し、蒸発器３４は、外気を送風するためのファン３５を備えている。
【００２０】
また、貯湯タンク４１と、貯湯タンク４１の底部に設けた取水口４２と、循環ポンプ４３と、膨張水熱交換器４９と、給湯用熱交換器３２と、三方弁４４と、貯湯タンク４１の頂部に設けた温水戻り口４５を順次接続して構成した給湯回路４６と、三方弁４４と貯湯タンク４１の底部を接続するバイパス回路４７を構成しており、圧縮機３１より吐出された高温高圧の過熱ガス冷媒は給湯用熱交換器３２に流入し、ここで循環ポンプ４３から送られてきた水を加熱するようになっている。
【００２１】
以上のように、本実施の形態では、冷媒循環回路５０、すなわちヒートポンプを、貯湯タンク４１内の水を加熱する加熱源としている。
【００２２】
４８は、圧力逃がし弁で貯湯タンク４１の上部に接続され、圧力逃がし弁４８は、貯湯タンク４１内の圧力が予め定められた圧力以上になると開放され、高温の膨張水が流れ出て、膨張水熱交換器４９で貯湯タンク４１の低部から流出した低温の水と熱交換する。膨張水熱交換器４９は、低温の水が流れる銅配管の周りに高温の膨張水が流れる銅配管を巻き付け、伝熱面積を大きくするように構成されている。
【００２３】
また、給湯用熱交換器３２に流入する入水温度を検知する入水温度センサー５１と、給湯用熱交換器３２から流出する出湯温度を検知する出湯温度センサー５２と、室外気温を検知する室外気温センサー５３と、圧縮機３１の吐出冷媒温度を検出する吐出温度センサー５４と、蒸発器３４の出口冷媒温度を検出する蒸発器出口温度センサー５５を設け、圧縮機３１の運転周波数や絞り装置３３の開度、ファン３５の回転数、循環ポンプ４３の回転数などを制御する制御装置５６を設置している。
【００２４】
以上のように構成された本実施の形態における貯湯式給湯装置について、以下その動作、作用を説明する。
【００２５】
貯湯式給湯装置の運転を開始すると、循環ポンプ４３と、ファン３５が運転され、入水温度センサー５１により貯湯タンク４１から給湯用熱交換器３２に流入する入水温度が計測され、室外気温センサー５３により室外気温が計測され、吐出温度センサー５４により圧縮機３１の吐出冷媒温度が計測され、入水温度、室外気温、吐出冷媒温度と出湯目標温度により、圧縮機３１の運転周波数、絞り装置３３の初期開度Ｐ１はあらかじめ設定されたテーブルから選択され、決定され、圧縮機３１の運転が開始する。
【００２６】
圧縮機３１より吐出された冷媒は、圧縮機３１の運転開始時は、低温低圧の冷媒であるが、圧縮機３１の回転数の増加に伴い、次第に高温高圧の過熱ガス冷媒となる。そして、高温高圧となった冷媒は、給湯用熱交換器３２に流入し、ここで循環ポンプ４３から送られてきた水と熱交換し水を加熱する。
【００２７】
そして、冷媒は、中温高圧となり、絞り装置３３で減圧された後、蒸発器３４に流入し、ここでファン３５で送風された外気と熱交換して蒸発ガス化し、圧縮機３１にもどる。
【００２８】
一方、循環ポンプ４３によって送られてきた給湯水は、給湯用熱交換器３２で加熱され、湯温度が給湯設定温度（例えば８０℃）より第一の所定値（例えば１０ｄｅｇ）ほど低い温度（７０℃）より低い（例えば６５℃）場合、三方弁４４は、給湯用熱交換器３２と貯湯タンク４１底部を連通させるように制御し、温水は、貯湯タンク４１の底部に戻される。さらに、湯温度が給湯設定温度（例えば８０℃）より第一の所定値（例えば１０ｄｅｇ）ほど低い温度（７０℃）より高くなると、三方弁４４は、給湯用熱交換器３２と貯湯タンク４１の頂部の温水戻り口４５を連通させるように制御され、湯は、貯湯タンク４１の上部に流入し、上から次第に貯湯されて行き、沸き上げ運転時間の経過とともに貯湯タンク４１内に湯が貯まって行く。
【００２９】
このとき、熱膨張により、水の体積が増大し、貯湯タンク４１に収容しきれない膨張水が、圧力逃がし弁４８から流れ出る。圧力逃がし弁４８が開放されると、貯湯タンク４１の上部に溜まった空気とともに貯湯タンク４１内の高温の膨張水は、膨張水熱交換器４９に流入し、貯湯タンク４１の底部から流出した低温水と効率よく熱交換して、放熱し排出される。また、貯湯タンク４１の低部の低温水は、膨張水の熱量を吸熱し、給湯用熱交換器３２に流入する。その結果、従来膨張水として排出されていた熱量を、貯湯タンク４１
からの低温水で回収するため、高効率な給湯運転が可能となる。
【００３０】
なお、上記実施の形態では、加熱源としてヒートポンプを用いて説明したが、燃焼機や電気ヒータを加熱源としても、同様の効果が得られることは言うまでもない。
【００３１】
また、冷媒循環回路５０に封入される冷媒として、二酸化炭素を使用することにより、より高いエネルギー効率で貯湯タンク４１の低温水を加熱することができる。
【００３２】
また、膨張水熱交換器４９を、低温の水が流れる銅配管の周りに高温の膨張水が流れる銅配管を巻き付けて構成する、と説明したが、二重管や積層型の熱交換器を用いても同様の効果を得ることができる。
【産業上の利用可能性】
【００３３】
以上のように、本発明に係る貯湯式給湯装置は、貯湯タンクより発生する膨張水を貯湯タンク低部から流出する低温水と熱交換させすることで、従来膨張水として排出していた熱量を回収し、エネルギー効率の高い給湯運転を可能とするため、膨張水の発生を伴う機器全般に適用できる。
【図面の簡単な説明】
【００３４】
【図１】本発明の実施の形態１における貯湯式給湯装置のシステム構成図
【図２】従来の貯湯式給湯装置の一部の構成を示す図
【符号の説明】
【００３５】
３１  圧縮機
３２  給湯用熱交換器
３３  絞り装置
３４  蒸発器
３５  ファン
４１  貯湯タンク
４２  取水口
４３  循環ポンプ
４４  三方弁
４５  温水戻り口
４６  給湯回路
４７  バイパス回路
４８  圧力逃がし弁
４９  膨張水熱交換器
５０  冷媒循環回路（ヒートポンプ）
５１  入水温度センサー
５２  出湯温度センサー
５３  室外気温センサー
５４  吐出温度センサー
５５  蒸発器出口温度センサー
５６  制御装置
【図１】
2010007933.tif 000003
【図２】
2010007933.tif 000004